【事件の表示】
　平成１年　特　許　願　第２６５６７４「原稿読み取り装置」拒絶査定に対する審判事件（平成３年５月２９日出願公開、特開平３−１２６３７３）について、次のとおり審決する。
【結論】
　本件審判の請求は、成り立たない。
【理由】
１．手続の経緯・本願発明
　本願は、平成１年１０月１２日に出願されたものであって、その請求項１に係る発明（以下「本願発明」という）は、平成８年１０月３日付け、平成１０年８月３１日付け、及び平成１０年１２月１７日付け手続補正書で補正された明細書及び図面の記載からみて、特許請求の範囲の請求項１に記載された次のとおりのものである。
　「複数の画素からなり光情報を電気信号に変換する光電変換素子と、前記電気信号をデジタルデータに変換するＡ／Ｄ変換手段と、前記光電変換素子における光シールドされた複数の奇数画素および複数の偶数画素の前記デジタルデータに基づき、有効奇数画素用および有効偶数画素用それぞれの黒レベル補正データを作成する黒レベル補正用データ作成手段と、前記補正データを格納する奇数画素用補正データ格納手段および偶数画素用補正データ格納手段と、原稿の読み取りに際し、前記格納手段から前記奇数画素用補正データまたは偶数画素用補正データを選択する補正データ選択手段と、該選択された補正データに基づいて、有効奇数画素および有効偶数画素の前記デジタルデー夕の黒レベル補正をする黒レベル補正手段と、を備える原稿読み取り装置。」
２．引用刊行物
　これに対して、原査定の拒絶の理由に引用された特開昭６３−１９９５７０号公報（以下「引用例」という）には、図面とともに次のａ〜ｇの記載がある。
ａ．「本発明は、画像読取装置、特に画像信号の補正機能を備えた画像読取装置に関するものである。」（公報第１頁左下欄１９行ないし２０行）
ｂ．「［従来技術］（中略）受光素子が奇数出力、偶数出力の如く複数系統の出力を持つ場合、各出力毎に増幅、Ａ／Ｄ等の処理が行われている。（中略）この様に受光素子が複数系統の出力を持つものにおいては、各画素のパラツキよりも各系統の差の方が大きい事が多い。つまり、各系統の出力に対して別々のアンプやＡ／Ｄ等を使用している為、各系統のオフセット等のバラツキが生じる事になり、画像劣化となる。」（公報第１頁右下欄１行ないし第２頁左上欄８行）
ｃ．「［目的］本発明は以上の点に鑑みてなされたもので、各系統の出力を記憶しておき、その値に基づき、各系統の出力を補正する事により、経時変化も除去出来る画像読取装置を提供するものである。」（公報第２頁左上欄１２行ないし１６行）
ｄ．「ＣＣＤ１０３（例えばＴＣＤ１０６Ｃ東芝製）は、偶数画素と奇数画素の夫々に対応する２系統の出力（２５１ａ，２５１ｂ）が別々に設けられており、独立に信号処理が行なえる様になっている。（中略）Ａ／Ｄコンバータに２０４によって各画素毎にＡ／Ｄ変換された画像データは、真白“００Ｈ”、真黒“ＦＦＨ”として画像信号ライン２５５に出力される。」（公報第右上欄１６行ないし右下欄８行）
ｅ．「ＣＣＤ１０３を蛍光灯１０４を点灯しない状態で読み取り動作せしめ、そのときの全画像データをセレク夕４０５バッファ４０６を介亡てシェーディングＲＡＭ４０８に駆動信号発生回路２１１のアドレス指定に従って書き込む。（中略）ＣＰＵ２１２は、シェーディングＲＡＭ４０８のデータをバッファ４０７を介して読み取り、偶数画素のデータの平均値Ｎｅｖｅｎを求める（ステップ６０４）。次に同様にして奇数画素のデータの平均値Ｎｏｄｄを求める（ステップ６０５）。そして、ステップ６０４，６０５で求めた偶数及び奇数画素に夫々対応する平均値を偶数及び奇数画素に対する補数値としてオフセット補正回路２０５のＤＦ／Ｆ３５８，３５９にそれぞれデータバス２６１を介してセットする（ステップ６０６，６０６）。」（公報第３頁左下欄１４行ないし右下欄１５行）
ｆ．「一方、画像データの入力に同期して暗時出力データがＤＦ／Ｆ３５８，３５９のいずれかより読み出される。すなわち、偶数画素の入力画像データに対してはＤＦ／Ｆ３５８から偶数画素に対応する暗時出力データが、また、奇数画素の入力画像データに対してはＤＦ／Ｆ３５９から奇数画素に対応する暗時出力データがそれぞれ読み出される。読み出された暗時出力データは信号ライン３５６を通して加算器３０３に入力される。これにより、各画素毎にオフセット（暗電圧）の補正がなされる。」（公報第４頁左上欄１３行ないし右上欄３行）
ｇ．「［効果］以上説明したように、画像読取素子の複数系列の各出力に対して個別に黒レベル補正（オフセット補正）するので、各系列の処理系の１歪等による影響を除去でき、良好な画像読取りが可能となる。」（公報第６頁左下欄１１行〜１６行）
３．対比．判断
　そこで、本願発明と引用例に記載された発明とを対比すると、引用例に記載された発明における「ＣＣＤ１０３」は、複数の画素からなり光情報を電気信号に変換するものであり、「Ａ／Ｄコンバータ２０４」は、前記電気信号をデジタルデータに変換するものであり、「ＤＦ／Ｆ３５９，３５８」は、奇数画素用補正データおよび偶数画素用補正データをそれぞれ格納するものであり、「加算器３０３」は、選択された補正データに基づいて、有効奇数画素および有効偶数画素の前記デジタルデータの黒レベルを補正するものであるから、本願発明における「光電変換素子」、「Ａ／Ｄ変換手段」、「奇数画素用補正データ格納手段および偶数画素用補正データ格納手段」、「黒レベル補正手段」にそれぞれ相当する。また、引用例に記載された発明における「ＣＰＵ２１２」と、本願発明における「黒レベル補正用データ作成手段」は、前記光電変換素子における複数の奇数画素および複数の偶数画素の前記デジタルデータに基づき、有効奇数画素用および有効偶数画素用それぞれの黒レベル補正データを作成する黒レベル補正用データ作成手段という点で差異がなく、更に、上記ｆの記載から引用例に記載された発明は、原稿の読み取りに際し、補正データ格納手段（ＤＦ／Ｆ３５９，３５８）から奇数画素用補正データまたは偶数画素用補正データを選択する補正データ選択手段を備えることが自明であるから、両者は、
「複数の画素からなり光情報を電気信号に変換する光電変換素子と、前記電気信号をデジタルデータに変換するＡ／Ｄ変換手段と、前記光電変換素子における複数の奇数画素および複数の偶数画素の前記デジタルデータに基づき、有効奇数画素用および有効偶数画素用それぞれの黒レベル補正データを作成する黒レベル補正用データ作成手段と、前記補正データを格納する奇数画素用補正データ格納手段および偶数画素用補正データ格納手段と、原稿の読み取りに際し、前記格納手段から前記奇数画素用補正データまたは偶数画素用補正データを選択する補正データ選択手段と、該選択された偶数画素の前記デジタルデータの黒レベル補正をする黒レベル補正手段と、を備える原稿読み取り装置。」である点で一致し、次の点で相違する。
　本願発明における「黒レベル補正用データ作成手段」は、「光電変換素子における光シールドされた複数の奇数画素および複数の偶数画素の前記デジタルデータに基づき、有効奇数画素用および有効偶数画素用それぞれの黒レベル補正データを作成する」のに対し、引用例に記載された発明における同手段（ＣＰＵ）は、蛍光灯消灯時の光電変換素子（ＣＣＤ）における複数の有効奇数画素および複数の有効偶数画素のデジタルデータ（シェーディングＲＡＭ４０８の記憶データ）に基づき、有効奇数画素用および有効偶数画素用それぞれの黒レベル補正データを作成する点。
　そこで、上記相違点について検討する。
　光電変換素子において有効画素の他に、有効画素用の黒レベル補正データを作成するための光シ一ルドされた画素を特別に設けるようにすることは、周知である（例えば、特開昭５３−７８１１２号公報、特開昭５６−１０２１６８号公報、特開昭６２−１０８６６８公報、参照）から、引用例に記載された発明におけるように、有効画素を黒レベル補正データ作成用として用いるのに代えて、有効奇数画素用および有効偶数画素用それぞれの黒レベル補正データを作成するために光電変換素子における光シールドされた奇数画素および偶数画素を特別に設けるようにすること、その際にそれぞれの画素を複数にすることは、当業者が容易に想到し得ることである。
　そして、本願発明の構成によりもたらされる効果も引用例から当業者が容易に予測し得る程度のものであり、格別のものではない。
４．むすび
　以上のとおりであるから、本願発明は、引用例に記載された発明に基いて当業者が容易に発明をすることができたものと認められるので、特許法第２９条第２項の規定により、特許を受けることができない。
　よって、結論のとおり審決する。